(57)【要約】【課題】補助冷媒配管の取り回しの自由度を向上させることができる空気調和機の室内機の提供。【解決手段】空気調和機１の室内機２０は、クロスフローファン本体６１と、クロスフローファン本体６１の側方に配置される第１電装品箱９０と、クロスフローファン本体６１と第１電装品箱９０との間に配置されておりクロスフローファン本体６１を駆動させるための室内ファンモータ６２と、クロスフローファン本体６１を覆うように配置される室内熱交換器５１と、室内熱交換器５１の側方から延びており室内熱交換器５１に対する冷媒の送出を行う室内補助冷媒配管５３ａ，５３ｂと、クロスフローファン本体６１、第１電装品箱９０、室内ファンモータ６２、室内熱交換器５１および室内補助冷媒配管５３ａ，５３ｂを収納するケーシング本体２３と、を備えている。室内補助冷媒配管５３ａ，５３ｂは第１電装品箱９０の上方まで延びている。【選択図】図５
2010133684.tif 000002
【特許請求の範囲】
【請求項１】
クロスフローファン本体（６１）と、
前記クロスフローファン本体の側方に配置される第１電装品箱（９０）と、
前記クロスフローファン本体と前記第１電装品箱との間に配置され、前記クロスフローファン本体を駆動させるためのモータ（６２）と、
前記クロスフローファン本体を覆うように配置される室内熱交換器（５１）と、
前記室内熱交換器の側面から延びており、前記室内熱交換器に対する冷媒の送出を行う補助冷媒配管（５３ａ，５３ｂ）と、
前記クロスフローファン本体と、前記第１電装品箱と、前記モータと、前記室内熱交換器と、前記補助冷媒配管とを収納するケーシング（２３）と、を備え、
前記補助冷媒配管は、前記第１電装品箱の上方まで延びている、
空気調和機の室内機（２０）。
【請求項２】
前記モータは、アウタードライブ型のモータである、
請求項１に記載の空気調和機の室内機。
【請求項３】
前記ケーシングに収納されており、前記第１電装品箱とは別の第２電装品箱（９１）を更に備え、
前記第１電装品箱には、強電部品（９０ｂ）を実装している第１電装部（９０ａ）が収納されており、
前記第２電装品箱には、弱電部品（９１ｂ）を実装している第２電装部（９１ａ）が収納されており、
前記第２電装品箱は、前記第１電装品箱近傍以外の位置に配置されている、
請求項１または２に記載の空気調和機の室内機。
【請求項４】
前記ケーシングは、前記第１電装品箱を覆うように配置される防滴カバー（４６）を有する、
請求項１から３のいずれかに記載の空気調和機の室内機。
【発明の詳細な説明】
【技術分野】
【０００１】
本発明は、空気調和機の室内機に関する。
【背景技術】
【０００２】
従来より、調和空気を室内に送風することによって、室内の快適性を向上させる空気調和機がある。このような空気調和機の多くは、室内に設置される室内機を備えている。また、室内機には、円筒形状を有するクロスフローファンと、クロスフローファン近傍に配置される室内熱交換器とを内部に収容しているものがある。
【０００３】
例えば、クロスフローファンの円周面に対向するように室内熱交換器が配置されている空気調和機の室内機がある（特許文献１参照）。この室内機では、室内熱交換器に冷媒を供給するための補助冷媒配管が、室内熱交換器の一側面から側方に延びており、室内機外の冷媒配管に接続されている。このようにして、この空気調和機の室内機では、室内機外から室内機内に冷媒が流れている。
【特許文献１】特開２００５−１０６３９７号公報
【発明の開示】
【発明が解決しようとする課題】
【０００４】
ところで、室内機の内部には、室内機の小型化等のために、複数の構成部品が密集して配置されている。例えば、特開２００５−１０６３９７号公報に開示されている室内機内には、クロスフローファンや室内熱交換器の他に電装品箱等が収容されており、電装品箱は室内熱交換器の側方に配置されている。このため、補助冷媒配管は、室内熱交換器の側面から電装品箱に至るまでの空間で取り回されている。このように、補助冷媒配管を取り回すための空間が限られることで、補助冷媒配管の取り回しの自由度が制限されるおそれがある。
【０００５】
そこで、本発明の課題は、補助冷媒配管の取り回しの自由度を向上させることができる空気調和機の室内機を提供することにある。
【課題を解決するための手段】
【０００６】
第１発明に係る空気調和機の室内機は、クロスフローファン本体と、第１電装品箱と、モータと、室内熱交換器と、補助冷媒配管と、ケーシングとを備えている。第１電装品箱は、クロスフローファン本体の側方に配置されている。モータは、クロスフローファン本体と第１電装品箱との間に配置されている。また、モータは、クロスフローファン本体を駆動させるためのモータである。室内熱交換器は、クロスフローファン本体を覆うように配置されている。補助冷媒配管は、室内熱交換器の側方から延びており、室内熱交換器に対する冷媒の送出を行う。ケーシングは、クロスフローファン本体と、第１電装品箱と、モータと、室内熱交換器と、補助冷媒配管とを収納する。また、補助冷媒配管は、第１電装品箱の上方まで延びている。
【０００７】
第１発明に係る空気調和機の室内機では、補助冷媒配管が、第１電装品箱の上方まで延びている。このため、例えば、補助冷媒配管が室内熱交換器の側面から電装品箱に至るまでの空間で取り回される場合と比較して、補助冷媒配管を取り回すための空間を大きくすることができる。
【０００８】
これによって、補助冷媒配管の取り回しの自由度を向上させることができる。
【０００９】
第２発明に係る空気調和機の室内機は、第１発明の空気調和機の室内機であって、モータは、アウタードライブ型のモータである。このため、例えば、モータが樹脂モールド型のモータである場合と比較して、モータを配置するための空間を小さくすることができる。
【００１０】
第３発明に係る空気調和機の室内機は、第１発明または第２発明の空気調和機の室内機であって、第１電装品箱とは別の第２電装品箱を更に備えている。第２電装品箱は、ケーシングに収納されている。また、第１電装品箱には、強電部品を実装している第１電装部が収納されている。第２電装品箱には、弱電部品を実装している第２電装部が収納されている。さらに、第２電装品箱は、第１電装品箱近傍以外の位置に配置されている。このため、例えば、モータの側方に配置される第１電装品箱の上側に第２電装品箱が配置される場合と比較して、補助冷媒配管を取り回すための空間が小さくなるおそれを減らすことができる。
【００１１】
第４発明に係る空気調和機の室内機は、第１発明から第３発明のいずれかの空気調和機の室内機であって、ケーシングは、防滴カバーを有する。防滴カバーは、第１電装品箱を覆うように配置されている。このため、補助冷媒配管において発生した結露水が第１電装品箱に侵入するおそれを減らすことができる。
【００１２】
これによって、安全性を向上させることができる。
【発明の効果】
【００１３】
第１発明に係る空気調和機の室内機では、補助冷媒配管の取り回しの自由度を向上させることができる。
【００１４】
第２発明に係る空気調和機の室内機では、モータを配置するための空間を小さくすることができる。
【００１５】
第３発明に係る空気調和機の室内機では、補助冷媒配管を取り回すための空間が小さくなるおそれを減らすことができる。
【００１６】
第４発明に係る空気調和機の室内機では、安全性を向上させることができる。
【発明を実施するための最良の形態】
【００１７】
＜空気調和機の構成＞
本発明の一実施形態に係る室内機２０を備える空気調和機１は、室内の壁面等に取り付けられる室内機２０の他に、室外に設置される室外機１０を備えている。また、室内機２０内には室内熱交換器５１が収納されており、室外機１０内には室外熱交換器１１が収納されている。そして、室内熱交換器５１と室外熱交換器１１とが冷媒ガス配管４１および冷媒液配管４２により互いに接続されて、冷媒回路４０が構成されている。
【００１８】
＜冷媒回路の概略構成＞
空気調和機１の冷媒回路４０を図１に示す。この冷媒回路４０は、主に、室内熱交換器５１、アキュムレータ１２、圧縮機１３、四路切換弁１４、室外熱交換器１１、および電動膨張弁１５で構成されている。
【００１９】
室内機２０内に設けられている室内熱交換器５１は、接触する空気との間で熱交換を行う。また、室内機２０は、室内空気を吸い込んで室内熱交換器５１に通し、熱交換が行われた後の空気を室内に排出するためのクロスフローファン６３を有している。クロスフローファン６３は、長細い円筒形状に構成されており、中心軸が水平方向に平行になるように配置されている。なお、室内機２０の詳細な構成については後に説明する。
【００２０】
室外機１０には、圧縮機１３と、圧縮機１３の吐出側に接続される四路切換弁１４と、圧縮機１３の吸入側に接続されるアキュムレータ１２と、四路切換弁１４に接続される室外熱交換器１１と、室外熱交換器１１に接続された電動膨張弁１５とが収納されている。四路切換弁１４は、ガス閉鎖弁１６を介して冷媒ガス配管４１に接続されている。そして、冷媒ガス配管４１が、室内熱交換器５１の一端から延びる室内補助冷媒ガス配管５３ｂに接続されている。電動膨張弁１５は、フィルタ１８および液閉鎖弁１７を介して冷媒液配管４２に接続されている。そして、冷媒液配管４２が、室内熱交換器５１の他端から延びる室内補助冷媒液配管５３ａに接続されている。また、室外機１０は、室外熱交換器１１での熱交換後の空気を外部に排出するためのプロペラファン１９を有している。このプロペラファン１９は、室外ファンモータ１９ａによって回転駆動される。
【００２１】
＜室内機の構成＞
室内機２０は、室内の壁に設置される壁掛け型の室内機２０であって、図２に示すように、ケーシング本体２３を備えている。
【００２２】
ケーシング本体２３は、樹脂材料から成型されており、直方体形状を有している。ケーシング本体２３は、正面視において、水平方向に長い略長方形の形状を有し、側面視において、鉛直方向に長い略長方形の形状を有する。また、ケーシング本体２３には、吸い込み口２３ａと吹き出し口２３ｂとが形成されている。
【００２３】
吸い込み口２３ａは、後述するクロスフローファン６３によって室内からケーシング本体２３内へと取り込まれる空気が通る開口である。吸い込み口２３ａは、ケーシング本体２３の長手方向に長い複数のスリットによって構成されており、ケーシング本体２３の上面に設けられている。
【００２４】
吹き出し口２３ｂは、クロスフローファン６３によって室内熱交換器５１を通り室内へと吹き出される空気が通る開口である。吹き出し口２３ｂは、正面視において、水平方向に長い形状を有し、その長さは、ケーシング本体２３の幅Ｗ１よりも僅かに短い（図３参照）。この吹き出し口２３ｂは、ケーシング本体２３の下部前面近傍に設けられている。また、吹き出し口２３ｂ近傍には、空気を室内に案内するための水平フラップ２９が設けられている。この水平フラップ２９は、ケーシング本体２３の長手方向に平行な軸を中心に回動可能である。また、水平フラップ２９は、フラップモータ（図示せず）によって回転駆動される。吹き出し口２３ｂは、室内機２０の運転停止時には、水平フラップ２９によって閉じられている。
【００２５】
また、室内機２０は、クロスフローファン６３、第１電装品箱９０および第２電装品箱９１を備えている。さらに、クロスフローファン６３、第１電装品箱９０および第２電装品箱９１は、図３に示すように、ケーシング本体２３の内部に配置されている。
【００２６】
クロスフローファン６３は、クロスフローファン本体６１と室内ファンモータ６２とを有する。クロスフローファン本体６１は、長細い円筒形状を呈しており、図３に示すように、回転軸が水平になるように配置されている。クロスフローファン本体６１の周面には、羽根が設けられており、クロスフローファン本体６１が回転軸周りに回転することにより、空気流が生成される。この空気流は、吸い込み口２３ａから取り入れられ室内熱交換器５１を通り、吹き出し口２３ｂから室内へと吹き出される空気の流れである。クロスフローファン本体６１は、側面視においてケーシング本体２３の概ね中央に位置している。
【００２７】
また、室内ファンモータ６２は、クロスフローファン本体６１と一体型のアウタードライブモータ（アウタードライブ型のモータに相当）であって、クロスフローファン本体６１を回転軸周りに回転駆動する。また、室内ファンモータ６２は、クロスフローファン本体６１と概ね同じ直径を有する薄い円板形状を呈している。この室内ファンモータ６２は、図３および図４に示すように、クロスフローファン本体６１の右側方にクロスフローファン本体６１と同軸に配置されている。また、室内ファンモータ６２は、平面視において、クロスフローファン本体６１と回転軸方向に並んで配置されている。さらに、図４に示すように、室内ファンモータ６２とクロスフローファン本体６１とがケーシング本体２３に収納された状態で、室内ファンモータ６２とクロスフローファン本体６１との頂上部分の高さはほぼ同じ高さになっている。
【００２８】
第１電装品箱９０は、室内ファンモータ６２を駆動するための第１制御基板９０ａを収容している。また、第１電装品箱９０は、図３に示すように、略扇形状を有している。さらに、第１電装品箱９０は、図３および図５に示すように、室内ファンモータ６２の右側方に配置されている。このため、室内機２０の正面視において、クロスフローファン本体６１、室内ファンモータ６２、第１電装品箱９０の順に並んで配置されている。また、図６に示すように、室内機２０の側面視において、室内ファンモータ６２と第１電装品箱９０とは、重なるように配置されている。さらに、第１電装品箱９０の上面は、図６に示すように、第１電装品箱９０とクロスフローファン６３とがケーシング本体２３に収納された状態で、室内ファンモータ６２の頂上部分、すなわち、クロスフローファン本体６１の頂上部分と略同じ高さに位置している。
【００２９】
また、この第１電装品箱９０に収容されている第１制御基板９０ａには、制御部品のうちの容量の大きなコンデンサやパワートランジスタ等の強電部品９０ｂが取り付けられている。
【００３０】
第２電装品箱９１は、図７に示すように、略直方体形状を有しており、ケーシング本体２３に設けられている吹き出し口２３ｂ近傍に配置されている。また、第２電装品箱９１に収容されている第２制御基板９１ａには、制御部品のうちの弱電部品９１ｂ、例えば、発光素子や受光素子等が取り付けられている（図３参照）。なお、本実施形態において、強電部品９０ｂとは線間電圧が５０Ｖより大きい部品であり、弱電部品９１ｂとは線間電圧が５０Ｖ以下の部品のことである。なお、図７では、上述の第１電装品箱９０や後述の防滴カバー４６の形状を簡略化して描いており、図５および図６の形状が詳細形状である。
【００３１】
さらに、室内機２０は、室内熱交換器ユニット５０を備えている。
【００３２】
室内熱交換器ユニット５０は、図７に示すように、室内熱交換器５１と、室内補助冷媒配管５３ａ，５３ｂとを備えている。室内熱交換器５１は、クロスフローファン本体６１の前方および上方を取り囲むように取り付けられている。また、室内熱交換器５１は、クロスフローファン６３が回転することにより吸い込み口から吸い込まれた空気をクロスフローファン６３側に通過させ、伝熱管の内部を通過する冷媒との間で熱交換を行わせる。さらに、室内熱交換器５１は、第１室内熱交換部５１ａ、第２室内熱交換部５１ｂおよび第３室内熱交換部５１ｃの３つの部分に分割されており、各室内熱交換部５１ａ，５１ｂ，５１ｃがそれぞれ接合されることにより、側面視において、概ね逆Ｖ字型の断面形状を有するように形成されている（図２参照）。
【００３３】
各室内熱交換部５１ａ，５１ｂ，５１ｃは、両端側で複数回折り返されてなる伝熱管５４と、伝熱管５４が挿通される短冊状の複数のフィンとから構成されている。伝熱管５４は、各室内熱交換部の水平方向の両側短においてＵ字型に折り返されている。
【００３４】
第１室内熱交換部５１ａは、ケーシング本体２３の内部において上端を前方側に傾斜させており、クロスフローファン本体６１の中央上方から後側上方を覆うように配置されている。
【００３５】
第２室内熱交換部５１ｂは、ケーシング本体２３の内部において上端を後方側に傾斜させており、第１室内熱交換部５１ａの前方でクロスフローファン本体６１の中央上方から前側上方を覆うように配置されている。そして、第２室内熱交換部５１ｂの上端が、第１室内熱交換部５１ａの状態に接合されている。このようにして、第１室内熱交換部５１ａと第２室内熱交換部５１ｂとは、側面視において、逆Ｖ字型になるように組み合わされている。
【００３６】
第３室内熱交換部５１ｃは、第２室内熱交換部５１ｂの下方でクロスフローファン本体６１の前方を覆うように配置されている。そして、第３室内熱交換部５１ｃの上端が、第２室内熱交換部５１ｂの下端に、クロスフローファン本体６１側の角度が鈍角となるように、角度を付けて接合されている。第３室内熱交換部５１ｃは、高さ方向、すなわち、鉛直方向に平行になっている。
【００３７】
室内補助冷媒配管５３ａ，５３ｂは、室内補助冷媒液配管５３ａと室内補助冷媒ガス配管５３ｂとを有している。室内補助冷媒液配管５３ａおよび室内補助冷媒ガス配管５３ｂは、第１電装品箱９０後方に配置される配管誘導部４５の下部において左側に向けて屈折され、ケーシング本体２３の背面左側で冷媒液配管４２および冷媒ガス配管４１に接続されている（図５および図６参照）。このため、室内補助冷媒液配管５３ａおよび室内補助冷媒ガス配管５３ｂには、室内熱交換器５１と室外熱交換器１１とを行き来する冷媒が流れる。また、室内補助冷媒液配管５３ａおよび室内補助冷媒ガス配管５３ｂは、図５および図６に示すように、配管誘導部４５内を下部から上部へと誘導されており、室内機２０の前面側へ向けて延びている。
【００３８】
さらに、室内補助冷媒液配管５３ａおよび室内補助冷媒ガス配管５３ｂは、図５に示すように、室内熱交換器５１の側方の空間、すなわち、室内ファンモータ６２および第１電装品箱９０の上方の空間Ｓ１で取り回されて、室内熱交換器５１の伝熱管５４に接続されている。具体的には、室内補助冷媒液配管５３ａおよび室内補助冷媒ガス配管５３ｂは、分流器および分流配管を有しており、分流器（図示せず）を介して複数の分流配管に枝分かれして室内熱交換器５１の側面から突出する伝熱管５４に接続されている。分流器は、室内熱交換器５１に対して複数の配管から冷媒を供給するために、室外機１０の室外熱交換器１１から冷媒液配管４２および冷媒ガス配管４１を介して送られた冷媒を複数の分流配管に分流する。
【００３９】
このようにして、室内補助冷媒液配管５３ａおよび室内補助冷媒ガス配管５３ｂは、室内熱交換器５１と冷媒液配管４２および冷媒ガス配管４１とを結ぶ役割を果たしている。
【００４０】
また、ケーシング本体２３は、室内補助冷媒配管５３ａ，５３ｂの外側に発生する結露水から第１電装品箱９０保護するための防滴カバー４６を備えている。防滴カバー４６は、第１電装品箱９０の上面および背面を覆うように設けられている。
【００４１】
＜特徴＞
（１）
従来より、調和空気を室内に送風することによって、室内の快適性を向上させる空気調和機がある。このような空気調和機の多くは、室内に設置される室内機を備えている。また、室内機には、円筒形状を有するクロスフローファンと、クロスフローファン近傍に配置される室内熱交換器とを内部に収容しているものがある。
【００４２】
例えば、特開２００５−１０６３９７号公報に開示されている空気調和機の室内機では、クロスフローファンの円周面に対向するように室内熱交換器が配置されている。この室内機では、室内熱交換器に冷媒を供給するための補助冷媒配管が、室内熱交換器の一側面から側方に延びており、室内機外の冷媒配管に接続されている。このようにして、この空気調和機の室内機では、室内機外から室内機内に冷媒が流れている。
【００４３】
ところで、室内機の内部には、室内機の小型化等のために、複数の構成部品が密集して配置されている。例えば、特開２００５−１０６３９７号公報に開示されている室内機内には、クロスフローファンや室内熱交換器の他に電装品箱等が収容されており、電装品箱は室内熱交換器の側方に配置されている。このため、補助冷媒配管は、室内熱交換器の側面から電装品箱に至るまでの空間で取り回されている。このように、補助冷媒配管を取り回すための空間が限られることで、補助冷媒配管の取り回しの自由度が制限されるおそれがある。
【００４４】
そこで、上記実施形態では、室内補助冷媒液配管５３ａおよび室内補助冷媒ガス配管５３ｂは、室内ファンモータ６２および第１電装品箱９０の上方の空間で取り回されて、室内熱交換器５１の伝熱管５４に接続されている。すなわち、室内補助冷媒液配管５３ａおよび室内補助冷媒ガス配管５３ｂは、室内熱交換器５１の側方から第１電装品箱９０の上方まで延びている。このため、例えば、従来の空気調和機のように、補助冷媒配管が電装品箱の上方まで延びておらず室内熱交換器の側面から電装品箱に至るまでの空間で取り回される場合と比較して、室内補助冷媒配管５３ａ，５３ｂを取り回すための空間Ｓ１を大きくすることができる。
【００４５】
これによって、室内補助冷媒配管５３ａ，５３ｂの取り回しの自由度を向上させることができている。また、室内補助冷媒配管５３ａ，５３ｂを取り回すための空間Ｓ１を大きくすることができるため、多パス化を実現することができる。
【００４６】
（２）
上記実施形態では、室内ファンモータ６２の側方に配置されている第１電装品箱９０は、コンデンサやパワートランジスタ等の強電部品９０ｂが取り付けられている第１制御基板９０ａが収容されている。また、ケーシング本体２３に設けられている吹き出し口２３ｂ近傍に配置されている第２電装品箱９１には、発光素子や受光素子等の弱電部品９１ｂが取り付けられている第２制御基板９１ａが収納されている。このため、例えば、室内ファンモータの側方に配置される第１電装品箱の上側に第２電装品箱が配置される場合と比較して、室内補助冷媒配管５３ａ，５３ｂを取り回すための空間Ｓ１が小さくなるおそれを減らすことができている。
【００４７】
また、例えば、ケーシング本体に設けられている吹き出し口近傍に配置されている第２電装品箱の後側に第１電装品箱が配置される場合と比較して、室内機２０の厚さ方向の幅Ｗ２を小さくすることができる。したがって、室内機２０の厚さ方向の幅Ｗ２が小さい薄型の室内機２０を実現することができている。
【００４８】
また、第１電装品箱９０には、室内ファンモータ６２を駆動するための第１制御基板９０ａが収納されている。このため、発光素子や受光素子等の弱電部品９１ｂが取り付けられている第２制御基板９１ａを、第１制御基板９０ａとともに第１電装品箱９０に収納しなくてもよいことになる。したがって、第１電装品箱内に第１制御基板および第２制御基板が収納される場合と比較して、第１電装品箱９０を小さくすることができる。
【００４９】
（３）
強電部品９０ｂの多くは電源を受電してモータ等の動力を駆動させるため、強電部品９０ｂが取り付けられている第１制御基板９０ａは安全性を考慮して防炎構造や絶縁構造がとられることが多い。これに対して、弱電部品９１ｂの多くは低電圧で、かつ、消費エネルギーが少ないため、強電部品９０ｂと比較して安全性が高い。
【００５０】
そこで、上記実施形態では、第１電装品箱９０の上面および背面を覆うように防滴カバー４６が設けられている。このため、第１電装品箱９０に水が侵入するおそれを減らすことができる。
【００５１】
これによって、安全性を向上させることができている。
【００５２】
さらに、発光素子や受光素子等が取り付けられている第２制御基板９１ａが収納されている第２電装品箱９１が、ケーシング本体２３の下部前面近傍に設けられている吹き出し口２３ｂ近傍に配置されている。このため、リモコン等から送信される信号を受信しやすくすることができている。また、発光素子の点灯等によって報知される情報をユーザに認識させやすくすることができている。
【００５３】
（４）
上記実施形態では、室内ファンモータ６２として、アウターロータ方式のアウタードライブモータが採用されている。このため、室内ファンモータとして樹脂モールド形ファンモータが採用される場合と比較して、室内ファンモータの厚さ方向の寸法を小さくすることができる。
【００５４】
＜変形例＞
上記実施形態では、クロスフローファン本体６１、室内ファンモータ６２、第１電装品箱９０の順に並んで配置されている。これに代えて、より小径の室内ファンモータを採用して、室内ファンモータを取り囲むように第１電装品箱が配置されてもよい。
【００５５】
また、ファンロータ内部に室内ファンモータを配置し、強電部品および弱電部品が取り付けられている制御基板が収納されている電装品箱を室内ファンモータの側方に配置してもよい。この場合、上記実施形態における室内ファンモータ６２の設置スペースおよび第１電装品箱９０の設置スペースに、強電部品および弱電部品が取り付けられている制御基板が収納されている電装品箱を設置することができるため、本体ケーシングの幅を大きくすることなく電装品箱を設置することができる。
【産業上の利用可能性】
【００５６】
本発明は、補助冷媒配管の取り回しの自由度を向上させることができるため、空気調和機の室内機への適用が有効である。
【図面の簡単な説明】
【００５７】
【図１】本発明の実施形態に係る室内機を備える空気調和機の概略冷媒回路図。
【図２】本発明の実施形態に係る室内機の断面図。
【図３】室内機内部におけるクロスフローファン、第１電装品箱、および、第２電装品箱の配置を示す室内機の上面図（ケーシング本体の上面および熱交換ユニットは省略）。
【図４】室内機内部におけるクロスフローファン、および、第１電装品箱の配置を示す室内機の正面図（ケーシング本体の上面および熱交換ユニットは省略）。
【図５】室内機内部においてクロスフローファン、第１電装品箱、および、熱交換ユニットが配置された状態を示す斜視図。
【図６】室内機内部においてクロスフローファン、第１電装品箱、および、熱交換ユニットが配置された状態を示す右側面図。
【図７】室内機内部においてクロスフローファン、第１電装品箱、第２電装品箱、および、熱交換ユニットが配置された状態を示す斜視図。
【符号の説明】
【００５８】
２０      室内機
２３      ケーシング本体（ケーシング）
４６      防滴カバー
５１      室内熱交換器
５３ａ    室内補助冷媒液配管（補助冷媒配管）
５３ｂ    室内補助冷媒ガス配管（補助冷媒配管）
６１      クロスフローファン本体
６２      室内ファンモータ（モータ）
９０      第１電装品箱
９０ａ    第１制御基板（第１電装部）
９０ｂ    強電部品
９１      第２電装品箱
９１ａ    第２制御基板（第２電装部）
９１ｂ    弱電部品
【図１】
2010133684.tif 000003
【図２】
2010133684.tif 000004
【図３】
2010133684.tif 000005
【図４】
2010133684.tif 000006
【図５】
2010133684.tif 000007
【図６】
2010133684.tif 000008
【図７】
2010133684.tif 000009